(57)【特許請求の範囲】
【請求項１】
クリーニングカードと、このクリーニングカードを保持するケースとからなるカード搬送ベルト用クリーナであって、前記ケースを、ヒンジ部を介して互いに折り畳み自在で前記クリーニングカードよりも大きな外形に形成された一対の略長方形の挟持板によって一体に形成し、これら挟持板の長辺の端面に、カード処理装置のカード挿入口の開口縁と当接するカード挿入方向規制用当接部と、カード処理装置のカード搬送路の側部と係合するカード幅方向規制用係合部と、クリーニングカードをクリーニングカード用ケースから露呈させる窓とを設け、かつ前記一対の挟持板の一方の表面の前記窓に近接した位置に、カード挿入方向と直交する方向に並設された一対の突起を突設するとともに、前記クリーニングカードに、前記突起に係入され係入されることによってクリーニングカードを前記窓から露呈させる係入孔をカード挿入方向に複数対設けたことを特徴とするカード搬送ベルト用クリーナ。
【請求項２】
請求項１記載のカード搬送ベルト用クリーナにおいて、前記クリーニングカードの係入孔をカード挿入方向の両端部に設けたことを特徴とするカード搬送ベルト用クリーナ。
【発明の詳細な説明】
【０００１】
【発明の属する技術分野】
本発明は、カード処理装置のカード搬送ベルトをクリーニングカードによってクリーニングするためのカード搬送ベルト用クリーナに関する。
【０００２】
【従来の技術】
この種のクリーニングカードは、カード処理装置に挿入されると搬送ローラによって取り込まれ、クリーニング部が搬送ローラに対接した位置に位置付けられると、カードの当接部がカード挿入口の開口縁に当接し挿入が停止され、その停止位置で搬送ベルトの汚れをクリーニング部でクリーニングするようにしていた。このように常に、クリーニング部の同じ部位で搬送ベルトをクリーニングしていたために、耐用回数が少ないという問題があり、耐用回数を増加させたいという要求があった。
【０００３】
この要求に応えるものとして、本出願人が提案した実用新案登録第２５４０４２９号公報に記載した考案がある。ここに提案されたものは、先端部に設けたクリーニング部と、カード処理装置に挿入した際にカード処理装置の当接部に当接しカードの挿入停止位置を決める当接部とを備えたクリーニングカードであって、当接部がカード挿入方向に対して段階的に除去可能な除去片で形成されている。したがって、クリーニング部の汚れの程度を見ながら、当接部の除去片を段階的に除去することにより、クリーニング部全体にわたって活用することができ、このためクリーニングカードの耐用回数が増加する。
【０００４】
また、別に提案されたものとして、特開平９−７１２８号公報に開示したものがある。ここに開示されているものには、クリーニングカードの表面にカード挿入方向に沿って複数対の係入孔が設けられているとともに、これら係入孔に対応してクリーニング部が複数設けられ、かつこれら係入孔に着脱自在に取り付けられ、カード処理装置のカード挿入口の開口縁に当接するストッパが備えられている。したがって、クリーニング部の汚れの程度を見ながら、ストッパの位置を変えることにより、複数のクリーニング部を順次活用することができるため、クリーニングカードの耐用回数が増加する。
【０００５】
【発明が解決しようとする課題】
しかしながら、上述した従来のクリーニングカードのいずれにおいても、クリーニングカードをカード処理装置のカード挿入口に挿入するときに、可撓性を有するクリーニングカード自体を手で把持しなければならないために、挿入しずらく作業性が悪いという問題があった。また、クリーニング部または係止部を段階的に除去するために、除去するためのはさみ等の用具が必要になり、使い勝手が悪かった。また、クリーニングを行うために、クリーニングカードを所定位置に停止させるのに、可撓性を有し、かつ厚みの小さいクリーニングカード自体の当接部によって行う構造としているので、クリーニング時にカードが停止状態で安定しないことがあり、このためクリーニングが充分に行われないという問題もあった。
【０００６】
本発明は上記した従来の問題に鑑みなされたものであり、第１の目的は作業性の向上を図ることにある。第２の目的は使い勝手の向上を図るところにあり、第３の目的はクリーニングを確実に行うことにある。
【０００７】
【課題を解決するための手段】
この目的を達成するために、請求項１記載の発明は、クリーニングカードと、このクリーニングカードを保持するケースとからなるカード搬送ベルト用クリーナであって、前記ケースを、ヒンジ部を介して互いに折り畳み自在で前記クリーニングカードよりも大きな外形に形成された一対の略長方形の挟持板によって一体に形成し、これら挟持板の長辺の端面に、カード処理装置のカード挿入口の開口縁と当接するカード挿入方向規制用当接部と、カード処理装置のカード搬送路の側部と係合するカード幅方向規制用係合部と、クリーニングカードをクリーニングカード用ケースから露呈させる窓とを設け、かつ前記一対の挟持板の一方の表面の前記窓に近接した位置に、カード挿入方向と直交する方向に並設された一対の突起を突設するとともに、前記クリーニングカードに、前記突起に係入され係入されることによってクリーニングカードを前記窓から露呈させる係入孔をカード挿入方向に複数対設ける。
したがって、カード挿入方向規制用当接部と、カード幅方向規制用係合部とによって、カード処理装置内に挿入されたクリーニングカードの停止位置が固定される。また、クリーニングカードをカード処理装置内に挿入する際には、ケースを手で把持して行う。ケースの突起に対して、クリーニングカードの複数対の係入孔を選択的に係入することにより、クリーニングの部位を変えることができる。
また、請求項２に係る発明は、請求項１に係る発明において、前記クリーニングカードの係入孔をカード挿入方向の両端部に設ける。
したがって、クリーニングカードの前後を反転させて使用することができる。
【０００８】
【発明の実施の形態】
以下、本発明の実施の形態を図に基づいて説明する。図１は本発明に係るカード搬送ベルト用クリーナを使用している状態を示す平面図、図２は同じく側面図、図３は同じくケースを開いた状態を示し、同図（ａ）は平面図、同図（ｂ）は側面図、図４は同じくケースを閉じてクリーニングカードを収納した状態を示し、同図（ａ）は平面図、同図（ｂ）は側面図である。
【０００９】
図１および図２において、全体を符号１で示すカード処理装置には、ロアーケース（図示せず）の上板２、アッパーケース（図示せず）の底板３および対向する両側部４ａ，４ｂとによって、カード挿入用の開口６が設けられたカード搬送路５が備えられている。開口６の開口縁６ａ，６ａは両側部４ａ，４ｂと直交するように延設されている。７は図示を省略したモータを駆動源として回転駆動される駆動ローラ、８は回転自在な従動ローラであって、これら両ローラ７，８間にはカード搬送ベルト９が張架され、このカード搬送ベルト９は、底板３に設けられた窓（図示せず）からカード搬送路５内に臨んでいる。
【００１０】
１０は回転自在なピンチローラであって、上板２の窓（図示せず）からカード搬送路５内に臨み、駆動ローラ７および従動ローラ８にそれぞれ対接している。上板２には矩形状の切欠き１１が設けられ、この切欠き１１内には、上端がカード搬送路５内に臨んでいる磁気ヘッド１２が設けられている。
【００１１】
このような構成のカード処理装置１においては、開口６からカード搬送路５内に図示を省略した磁気カードが挿入されると、モータが正方向に駆動し、駆動ローラ７が図２中反時計方向に回転駆動することによって、カード搬送ベルト９も追従して走行しカードを矢印Ａ方向に搬送する。カードが磁気ヘッド１２上を通過することによりカードの磁気データが磁気ヘッド１２によって処理される。
【００１２】
処理が終了すると、モータが逆方向に駆動し、駆動ローラ７が図２中時計方向に回転駆動することによって、カード搬送ベルト９も追従して走行しカードを矢印Ａ方向と反対に搬送し、カードが開口６から返却される。以上説明したカード処理装置１は、従来から広く知られているカード処理装置と格別変わるところはない。
【００１３】
次に、図３および図４を用いて、本発明の特徴であるカード搬送ベルト用クリーナ１５について説明する。
図４において、カード搬送ベルト用クリーナ１５は、上述したカード処理装置１のカード搬送ベルト９をクリーニングするクリーニングカード４０と、このクリーニングカード４０を保持するケース２０とによって構成されている。
【００１４】
図３において、ケース２０は、ヒンジ部２１を介して互いに折り畳み自在で、互い略同じ外形に形成された一対の略長方形で平板状の挟持板２２，２３によって一体に形成されている。挟持板２２の長辺の長さＬはクリーニングカード４０の長辺よりもわずかに大きく形成され、短辺の長さＢはクリーニングカード４０の短辺よりも大きく形成されている。
【００１５】
挟持板２２の両長辺のそれぞれには、先端に爪が設けられた弾性係合片２５，２５が立設され、短辺には先端に爪が設けられた弾性係合片２６が立設されているとともに、一方の長辺には低い高さの囲い壁２７が立設され、他方の長辺側には一対の長円の逃がし穴２８，２８が設けられている。
【００１６】
挟持板２３の一方の長辺の略中央には、カード搬送路５内に挿入されたクリーニングカード４０の幅方向の移動を規制するカード幅方向規制用係合部３０が突設され、このカード幅方向規制用係合部３０を挟んで長辺の上下には、前記囲い壁２７と同じ高さの囲い壁３１と、窓３２とが設けられている。これら囲い壁３１と窓２３の端縁のそれぞれは、カード搬送路５内に挿入されたクリーニングカード４０の挿入方向の移動を規制するカード挿入方向規制用当接部３３，３４を形成し、窓３２に近接して挟持板２３の表面には、長辺方向に間隔Ｄ１だけ隔てて並設された一対の長円の突起３５，３５が、前記逃がし穴２８，２８に対応するように突設されている。
【００１７】
図４において、クリーニングカード４０は略長方形に形成され、表裏の全体にクリーニング部が形成されており、長手方向の両端部のそれぞれには、三対の長円の係入孔４１ａ，４１ｂ，４１ｃおよび係入孔４２ａ，４２ｂ，４２ｃが設けられている。これら係入孔４１ｃ，４１ｃ間の間隔および係入孔４２ｃ，４２ｃ間の間隔は、共にＤ２に形成され、上述したケース２０の突起３５，３５間の間隔Ｄ１と同一に形成されている。これら係入孔４１ａ，４１ｂ，４１ｃおよび係入孔４２ａ，４２ｂ，４２ｃのうちのいずれか一対の係入孔を、突起３５，３５に係入すると、図１に示すように、クリーニングカード４０がケース２０の窓３２からケース２０の長辺と直交するように露呈される。
【００１８】
次に、このような構成のカード搬送ベルト用クリーナ１５によるクリーニングの方法を説明する。
図３（ａ）に示すように、ケース２０の一対の挟持板２２，２３を開いた状態とし、クリーニングカード４０の係入孔４１ａ，４１ｂ，４１ｃおよび係入孔４２ａ，４２ｂ，４２ｃのうち係入孔４１ａ，４１ａを突起３５，３５に係入する。次に、ヒンジ部２１を介して挟持板２２を挟持板２３上に折り畳み、弾性係合片２５，２５および弾性係合片２６の爪を挟持板２３の端縁に係合させることにより、これら一対の挟持板２２，２３によってクリーニングカード４０を保持する。
【００１９】
この状態で、ケース２０を手で把持し、図１に示すように、クリーニングカード４０の先端をカード処理装置１の開口６からカード搬送路５内に挿入し、ケース２０のカード幅方向規制用係合部３０を一方の側部４ａに係合させることにより、他方の側部４ｂにクリーニングカード４０の側端が係合する。ケース２０のカード挿入方向当接部３３，３４をカード処理装置１の開口縁６ａ，６ａに当接させることにより、クリーニングカード４０の先端部が、カード搬送ベルト９の駆動ローラ７に対応した部位に対接するので、カード搬送ベルト９がクリーニングカード４０のクリーニング部によってクリーニングされる。
【００２０】
このとき、ケース２０のカード幅方向規制用係合部３０が側部４ａに係合し、ケース２０のカード挿入方向当接部３３，３４がカード処理装置１の開口縁６ａ，６ａに当接している。したがって、クリーニングカード４０によるクリーニング中、クリーンニングカード４０が移動したり、位置ずれを起こしたりすることがないので、クリーニングが確実に行われる。また、クリーニングカード４０をカード処理装置１の開口６からカード搬送路５内に挿入するときに、クリーニングカード４０よりも剛性の高いケース２０を手で把持して行えるので、クリーニングカード４０をカード搬送路５内に挿入しやすくなり、操作性および作業性が向上する。
【００２１】
クリーニングカード４０のクリーニング部に汚れがある程度付着したら、ケース２を手で把持しクリーニングカード４０を図中矢印Ａ方向と反対方向に移動させ、カード搬送路５から取り出す。ケース２０の弾性係合片２５，２５および弾性係合片２６の爪の係合を解除し、挟持板２２と挟持板２３とを互いに開き、突起３５，３５から係入孔４１ａ，４１ａを取り外し、隣接する別の係入孔４１ｂ，４１ｂを突起３５，３５に係入する。再び、挟持板２２，２３を折り畳み、クリーニングカード４０をケース２０に保持させて、クリーニングカード４０をカード処理装置１のカード搬送路５内に挿入し、カード挿入方向当接部３３，３４を開口縁６ａ，６ａに当接させる。
【００２２】
このように、クリーニングカード４０のクリーニング部のクリーニングする部位を変えることにより、クリーニング部を全体にわたって順次活用することができるため、クリーニングカード４０の耐用回数が増加する。ここで、クリーニングカード４０の係入孔４１ｃ，４１ｃを突起３５，３５に係入させたときには、クリーニングカード４０の先端が、図中ｌ（便宜上ハッチングで示した部位）の長さだけ前進した状態となるが、この状態においてクリーニングカード４０の先端が磁気ヘッド１２に接触しないように構成されている。
【００２３】
クリーニングカード４０の一端側のクリーニング部に汚れがある程度付着したら、クリーニングカード４０の前後方向を反転させ、ケース２０の突起３５に係入孔４２ａ，４２ｂ，４２ｃのいずれかを係入させる。このようにクリーニングカード４０の両端のクリーニング部を活用することができるので、クリーニングカード４０の耐用回数がより増加する。
【００２４】
また、クリーニングカード４０の裏面にもクリーニング部が設けられているので、表面側のクリーニング部に汚れがある程度付着したら、クリーニングカード４０の表裏を反転させる。そして、ケース２０の突起３５に係入孔４１ａ，４１ｂ，４１ｃまたは係入孔４２ａ，４２ｂ，４２ｃのいずれかを係入させることにより、裏面側のクリーニング部も全体にわたって順次活用することができるため、クリーニングカード４０の耐用回数がさらに増加する。
【００２５】
クリーニングカード４０によるクリーニングが終了したら、クリーニングカード４０をカード搬送路５から取り出し、ケース２０の挟持板２２，２３を互いに開き、突起３５からクリーニングカード４０の係入孔を取り外す。次に、図４に示すように、クリーニングカード４０を９０°回動させて、挟持板２２，２３の長手方向とクリーニングカード４０の長手方向とを一致させ、両挟持板２２，２３を互いに折り畳むことにより、両挟持板２２，２３との間にクリーニングカード４０を挟持する。このように、クリーニングしていないクリーニングカード４０を、ケース２０の両挟持板２２，２３との間に挟持することにより、ケース２０によってクリーニングカード４０が保管されるとともに、保護される。したがって、クリーニングカード４０の紛失を防止できるとともに、折り曲げや破損を防止することができる。
【００２６】
本実施の形態においては、磁気カードを処理するカード処理装置１としたが、これに限定されず、カードを搬送する搬送ベルトを備えた各種カード処理装置に適用できる。また、ケース２０にカード幅方向規制用係合部３０を１個だけ設けたが、カード処理装置１の両側部４ａ，４ｂに係合するように、一対設けてもよい。
【００２７】
【発明の効果】
以上説明したように、請求項１に係る発明によれば、作業性および操作性が、向上するとともに、クリーニングが確実に行われる。また、クリーニングカードの紛失を防止できるとともに、折り曲げや破損を防止することができる。
【００２８】
また、請求項２に係る発明によれば、耐用回数を伸ばすことができる。
【図面の簡単な説明】
【図１】  本発明に係るカード搬送ベルト用クリーナを使用している状態を示す平面図である。
【図２】  本発明に係るカード搬送ベルト用クリーナを使用している状態を示す側面図である。
【図３】  本発明に係るカード搬送ベルト用クリーナにおいて、ケースを開いた状態を示し、同図（ａ）は平面図、同図（ｂ）は側面図である。
【図４】  本発明に係るカード搬送ベルト用クリーナにおいて、ケースを閉じてクリーニングカードを収納した状態を示し、同図（ａ）は平面図、同図（ｂ）は側面図である。
【符号の説明】
１…カード処理装置、５…カード搬送路、６ａ…開口縁、９…カード搬送ベルト、１５…カード搬送ベルト用クリーナ、２０…ケース、２１…ヒンジ部、２２，２３…挟持板、３０…カード幅方向規制用係合部、３３，３４…カード挿入方向規制用当接部、３５…突起、４０…クリーニングカード、４１ａ，４１ｂ，４１ｃ，４２ａ，４２ｂ，４２ｃ…係入孔。
【図１】
0003684975.tif 000002
【図２】
0003684975.tif 000003
【図３】
0003684975.tif 000004
【図４】
0003684975.tif 000005